(57)【要約】【課題】測定箇所が明確に特定される配管の肉厚測定データの管理方法を提供すること。【解決手段】プラント、系統、測定点番号を含む配管の肉厚測定点を特定する配管減肉管理情報が記録されたＩＣタグ４を用意し、測定対象である配管１の肉厚測定点の近傍に前記ＩＣタグを取り付け、前記配管の肉厚測定に際して前記ＩＣタグから前記配管減肉管理情報を参照するようにした配管肉厚測定データの管理方法。【選択図】図１
2010096720.tif 000002
【特許請求の範囲】
【請求項１】
プラント、系統、測定点番号を含む配管の肉厚測定点を特定する配管減肉管理情報が記録されたＩＣタグを用意し、
測定対象である配管の肉厚測定点の近傍に前記ＩＣタグを取り付け、
前記配管の肉厚測定に際して前記ＩＣタグから前記配管減肉管理情報を参照する
ようにした配管肉厚測定データの管理方法。
【請求項２】
請求項１記載の配管肉厚測定データの管理方法において、
前記配管減肉管理情報および前記プラントの系統図、配管図の情報を記録した配管減肉管理データベース、ならびに前記ＩＣタグおよび前記配管減肉管理データベースに接続されるデータ端末機器を用意し、
前記データ端末機器が、前記ＩＣタグから読み取った情報をキーワードとして、前記配管減肉管理データベースから前記肉厚測定点の位置を特定する系統図、配管図の情報を取得して表示する配管肉厚測定データの管理方法。
【請求項３】
請求項１記載の配管肉厚測定データの管理方法において、
前記データ端末機器に、前記肉厚測定点の測定メッシュを表示させる配管肉厚測定データの管理方法。
【請求項４】
請求項１記載の配管肉厚測定データの管理方法において、
前記データ端末機器に、過年度の測定データおよび評価データを表示させる配管肉厚測定データの管理方法。
【発明の詳細な説明】
【技術分野】
【０００１】
本発明は、配管の肉厚測定データを管理する方法に関する。
【背景技術】
【０００２】
一般に、原子力発電所では、多数の配管の健全性確認のため、定期的な肉厚測定によって減肉管理を行っている。その配管肉厚測定の測定箇所には、類似箇所が多数あって或る測定箇所と他の測定箇所とを間違い易く、また現場で行う手書きの記録用紙への写し替え等、人為的過誤が発生し易い等のリスクを秘めている。このように測定箇所の特定は、配管の肉厚測定を行う上では重要な課題である。
【０００３】
そこで、従来、測定箇所の特定に関して下記特許文献１，２に示される方法が提供されている。
1) 特許文献１：放射線を発生させる放射線発生装置および放射線発生装置にて発生した放射線を入射し、光に変換して前記光のイメージを増幅するイメージインテンシファイアを用いた放射線検査装置と、この放射線検査装置の位置を検出する位置検出装置とを設け、この位置検出装置により被測定物である配管の測定位置を特定するように構成したものである。
2) 特許文献２：放射線を検査対象の配管に放射する放射線源と、この放射線源より放射されて配管を透過した放射線を取り込んで受像を行うカラーイメージインテンシファイア（カラーＩＩ）と、配管を挟んで放射線源とカラーＩＩとの相対的位置、姿勢を定位させる位置決め機構と、カラーＩＩから出力されるカラー信号をそれぞれ波長成分毎に分解して画像処理を行う画像処理装置とを備える。
【特許文献１】特開2007-47077号公報
【特許文献２】特開2008-51563号公報
【発明の開示】
【発明が解決しようとする課題】
【０００４】
まず、特許文献１における放射線源を用いて肉厚測定を実施する方法では、測定位置の特定と減肉量測定の精度向上とが挙げられている。
【０００５】
また、特許文献２における非破壊方式の検査装置および方法では、装置の設置スペースの極少化および検査時間の短縮化を図る上で、イメージセンサと放射線源との位置決めの重要性が挙げられている。しかし、配管測定箇所の位置の特定および配管減肉測定での人為的過誤の防止に関する開示はない。
【０００６】
一般に、原子力発電所では、多数の配管の健全性確認のため、定期的に肉厚測定を行ない、減肉管理を行っている。しかし、その方法は、複数の指定された各測定箇所にメッシュ（罫書き線）を入れ、そのポイントに肉厚測定装置（超音波厚み計）を使用して、測定員が測定装置の指示値を記録用紙に手書きで記録している。また、ある測定年度の測定に際し、測定点の過誤を防止するには、現場の位置、過年度の測定時期、測定メッシュ等の情報を事前に確認する必要がある。
【０００７】
その際、配管測定箇所には多くの類似箇所があって間違い易く、また現場での手書きの記録用紙への写し替え等、ヒューマンエラーが発生し易い状況である。しかも、手作業で膨大な量の記録を測定装置から記録用紙に記録していく作業は多大な労力を要する。
【０００８】
ここで、図４(a)，(b)、図５(a)，(b)ないし図６を参照して、配管肉厚測定の従来例（例えば超音波厚み計での測定）について説明する。対象とする配管１は、図５(a)，(b)に示すように、通常、保温材２に覆われている。このため、その保温材２を取り外した上で、図４(a)，(b)における肉厚測定を行う。
【０００９】
従来の配管肉厚測定装置は、図４に示す肉厚測定装置（超音波厚み計）８、探触子９およびケーブル１０により構成されている。複数の指定された測定範囲３に、メッシュ（罫書き線）を設定する。
【００１０】
メッシュは、図示の通り、配管の周方向（例1、2等番号を付けた線）と軸方向（例Ａ、Ｂ等アルファベットを付けた線）との罫線により構成され、その交点に肉厚測定装置８（超音波厚み計）の探触子９を当てて、対象とする配管１の測定範囲３の各測定ポイントの肉厚を測定する。
【００１１】
そして、測定範囲３における肉厚測定値を記録用紙に記録する。測定に際し、測定点の過誤を防止するには、現場配管の測定位置、過年度の測定時期、測定範囲３のメッシュ上位置等の情報を事前に過去記録を参照して確認しておく必要がある。このように、配管肉厚測定およびデータ管理は、手間が掛かる作業であり、省力化が要望されている。
【００１２】
そこで、測定箇所の過誤を防止し、図６に示す測定データ１３を容易に収集できること、および評価管理部門に早く間違いのないデータを提供できることが望まれる。
【００１３】
本発明は上述の点を考慮してなされたもので、測定箇所が明確に特定され得る配管の肉厚測定データの管理方法を提供することを目的とする。
【課題を解決するための手段】
【００１４】
上記目的達成のため、本発明では、
プラント、系統、測定点番号を含む配管の肉厚測定点を特定する配管減肉管理情報が記録されたＩＣタグを用意し、
測定対象である配管の肉厚測定点の近傍に前記ＩＣタグを取り付け、
前記配管の肉厚測定に際して前記ＩＣタグから前記配管減肉管理情報を参照する
ようにした配管肉厚測定データの管理方法、
を提供するものである。
【発明を実施するための最良の形態】
【００１５】
以下、図１ないし図３を参照して本発明の実施例を説明する。
【実施例１】
【００１６】
図１は、本発明の適用対象である配管減肉管理システムの構成を示した説明図である。測定対象である配管１は、保温材２（図６）を除去した状態で示しており、測定範囲３の内部あるいはその近傍における所定箇所にＩＣタグ４が取り付けられている。
【００１７】
このＩＣタグ４は、無線伝送系５を介してデータ端末機器６に情報を伝送することができる。そして、このＩＣタグ４には、プラント、系統、測定点番号等、肉厚測定点等を特定する情報が記録されている。
【００１８】
データ端末機器６には、ケーブル１２を介して肉厚測定装置８が接続されており、探触子９からケーブル１０を経て伝達される信号に基づき、肉厚測定装置８で測定した肉厚測定データが与えられる。
【００１９】
また、データ端末機器６には、ケーブル１１を介して配管減肉管理データベース７が接続されており、データ端末機器６から減肉測定点の位置（番地）情報および肉厚測定データを配管減肉管理データベース７に与え、配管減肉管理データベース７からデータ端末機器６が配管情報および過去のデータを受け取る。
【００２０】
この図１は、例えば定期点検で対象とする配管１を点検するために、プラントを停止して保温材２を取外した状態を示している。この状態で、対象とする配管１の測定範囲３における測定点近傍に取り付けられたＩＣタグ４により、対象とする配管１の固有情報であるプラント名、系統名、測定点番号等、肉厚測定点を特定する情報を、無線伝送系５を介してデータ端末機器６へ伝送させる。
【００２１】
また、配管減肉データベース７から、対象とする測定点の過去データ、評価データ等の情報を、データ端末機器６へケーブル１２を通じて伝送させる。
【００２２】
これにより、データ端末機器６および配管減肉データベース７は、対象とする肉厚測定点に関する情報を共有した状態となる。
【００２３】
図２(a)，(b)は、配管１における測定箇所を特定するためのメッシュを示したものである。このメッシュは、配管１の長手方向に、符号「１，２，３，４，５，６，７，・・・」（図２(a)参照）を付して描いた罫線と、周方向に符号「Ａ，Ｂ，Ｃ，Ｄ，Ｅ，Ｆ，Ｇ，Ｈ」（図２(b)参照）を付して描いた罫線とにより形成される。
【００２４】
このメッシュを利用して探触子９を設置すれば、探触子９の設置位置が直ちに明示される。そして、この設置位置データが、ＩＣタグ４から無線伝送系５によりデータ端末機器６に伝送される。データ端末機器６には、肉厚測定装置８（図１参照）からの肉厚測定データも与えられるから、肉厚測定データとその測定位置データとが関連付けられた上で、配管減肉管理データベース７に与えられる。
【００２５】
上記のように、図２は、対象とする配管１に、測定に用いるメッシュを形成した状態を示している。メッシュは、配管減肉管理データベース７から呼び込んだデータ端末機器６の表示情報により形成する。
【００２６】
配管１のメッシュ近傍に取り付けられたＩＣタグ４によって与えれる、対象とする配管１の測定位置データをデータ端末機器６に表示させることにより、これから測定しよとする箇所が正しいか否かを目視判別できるから、測定箇所の間違い、すなわち測定すべき測定箇所ではない箇所で測定する過誤を無くすことができる。
【００２７】
また、肉厚測定データが探触子９からケーブル１１を通じて肉厚測定装置８へ、そして肉厚測定装置８からデータ端末機器６に直接読み込まれるから、測定時に測定データを伝送するための特別な操作をする必要がなく作業性がよい。
【００２８】
さらに、肉厚測定データが測定位置データとともにデータ端末機器６から配管減肉管理データベース７に読み込まれることにより、過年度データ、評価データを配管減肉管理データベース７で肉厚測定位置に関連付けて適正に管理できるようになる。このため、紙媒体での記録データ１３の写し替えの間違いを無くすことができる。
【００２９】
図３(a)，(b)は、プラント運転中の対象配管１にＩＣタグ４が貼り付けられた状態を示すもので、保温材２が対象とする配管１を覆っている。そして、ＩＣタグ４は、配管１の外壁に保温材２に埋め込まれた状態で取り付けられている。一方、探触子９は、保温材２の外周上に取り付けられており、保温材２を剥がすことなく肉厚測定を行う。
【００３０】
（配管減肉管理情報の利用方法）
ＩＣタグ４に記録された位置情報は、次のように利用することができる。まず、データ端末機器６が、ＩＣタグ４から読み取った位置情報をキーワードとして、配管減肉管理データベース７からその位置を特定する系統図、配管図情報を取得して測定員の持つデータ端末機器６に表示するという利用法である。これにより、測定箇所がプラントにおけるどのような位置であるかを明確に把握することができる。
【００３１】
また、データ端末機器６に配管減肉測定点のメッシュを表示させることにより、データの過不足を防止することができる。
【００３２】
さらに、データ端末機器６に、当該測定箇所に関する過年度の測定データ、評価データ（例えば余寿命）を表示させることにより配管管理の過誤を防止することができる。
【図面の簡単な説明】
【００３３】
【図１】本発明の配管肉厚測定データ管理システムの構成を示す説明図。
【図２】図２(a)，(b)は、本発明の配管肉厚測定データ管理システムによるメッシュを示す説明図。
【図３】図３(a)，(b)は、本発明の配管肉厚測定データ管理システムにおけるＩＣタグの取り付け状態を示す説明図。
【図４】図４(a)，(b)は、従来の配管肉厚測定手法を示す図。
【図５】図５(a)，(b)は、従来の配管保温方法を示す図。
【図６】従来の配管肉厚測定データ表を示す図。
【符号の説明】
【００３４】
１…対象配管、２…保温材、３…測定範囲、４…ＩＣタグ、５…無線伝送系、
６…データ端末機器、７…配管減肉管理データベース、８…肉厚測定装置、９…探触子、１０…ケーブル、１１…ケーブル、１２…ケーブル、１３…記録用紙（データ用紙）。
【図１】
2010096720.tif 000003
【図２】
2010096720.tif 000004
【図３】
2010096720.tif 000005
【図４】
2010096720.tif 000006
【図５】
2010096720.tif 000007
【図６】
2010096720.tif 000008